(57)【要約】 【課題】前面フタと灯器本体とを組み合わせる作業が簡単で、外周が滑らかで塵埃がたまりにくく、取り扱いやすくて見栄えのよい交通信号用灯器を提供する。【解決手段】前面フタ４０と、灯器本体５０とを前後から合わせて光源ユニット２０を収納するもので、前面フタ４０の縁部４２に後方に突出する蝶番突起部４５を設け、灯器本体５０には、蝶番突起部４５が嵌合するシャフト受部５５を設け、蝶番突起部４５を凹部に嵌合させて上部を結合し、下部では、前面フタ４０のラッチ６１と灯器本体５０の受け金具６５とを係合させることで前面フタ４０と灯器本体５０とを結合することにより、外部への突出部を形成することなく前面フタ４０と灯器本体５０とを密接に結合した。【選択図】図１
2005284528.tif 000002
【特許請求の範囲】
【請求項１】
光源と駆動基板とを備えた光源ユニットを内装し、交通設備の要所に設置される交通信号用灯器であって、
前記光源を前面から覗かせる前面フタと、前記光源ユニットを後方から覆う灯器本体とを前後から合わせて前記光源ユニットを収納し、
前記前面フタは、前記光源を覗かせ、かつ前記光源ユニットの前部外周に密接する開口周囲部と、前記灯器本体に密接する縁部とを備え、
前記灯器本体は、前記光源ユニットを後方から覆う箱状の灯体内部の前部に前縁部を備えて成り、
前記前面フタの縁部の上部に後方に突出する蝶番突起部を設け、前記灯器本体には、該蝶番突起部が嵌合するシャフト受部を設け、前記蝶番突起部を該凹部に嵌合させて、前記前面フタと前記灯器本体とをヒンジ状に連結し、
前記前面フタの縁部の下部にラッチを設け、前記灯器本体の前縁部には、該ラッチが係脱する受け金具を設け、
前記前面フタのラッチと前記灯器本体の受け金具とを係合させることで前記前面フタと前記灯器本体とを密接に結合したことを特徴とする交通信号用灯器。
【請求項２】
光源と駆動基板とを備えた光源ユニットを内装し、交通設備の要所に設置される交通信号用灯器であって、
前記光源を前面から覗かせる前面フタと、前記光源ユニットを後方から覆う灯器本体とを前後から合わせて前記光源ユニットを収納し、
前記前面フタは、前記光源を覗かせ、かつ前記光源ユニットの前部外周に密接する開口周囲部と、前記灯器本体に密接する縁部とを備え、
前記灯器本体は、前記光源ユニットを後方から覆う箱状の灯体内部の前部に前縁部を備えて成り、
前記前面フタの縁部の上部に後方に突出する蝶番突起部を設け、前記灯器本体には、該蝶番突起部が嵌合するシャフト受部を設け、前記蝶番突起部を該凹部に嵌合させて、前記前面フタと前記灯器本体とをヒンジ状に連結し、
前記前面フタの縁部の下部にラッチを枢支し、前記灯器本体の前縁部には、該ラッチが係脱する受け金具を設け、
前記前面フタのラッチと前記灯器本体の受け金具とを係合させることで前記前面フタと前記灯器本体とを密接に結合したことを特徴とする交通信号用灯器。
【請求項３】
前記前面フタのラッチは弾発的に変位可能であり、前記前面フタと前記灯器本体とを結合するとき、前記ラッチが前記受け金具に当接したとき弾発的に一旦逃げてから係合することを特徴とする請求項１または２に記載の交通信号用灯器。
【発明の詳細な説明】
【技術分野】
【０００１】
本発明は、光源と駆動基板とを備えた光源ユニットを内装し、交通設備の要所に設置される交通信号用灯器に関する。
【背景技術】
【０００２】
従来の技術としては、例えば特許文献１に示すようなものがある。  
すなわち、特許文献１の特開２００２−２１６２９５号公報には、反射鏡とランプが収容された箱状の灯器本体と、前面蓋とから成っており、灯器本体と前面蓋の上縁および下縁の対称位置に夫々一対の軸受部を突出形成して、灯器本体と前面蓋とを結合する技術が開示されている。
【０００３】
【特許文献１】特開２００２−２１６２９５号公報
【発明の開示】
【発明が解決しようとする課題】
【０００４】
しかしながら、このような従来の技術では、前面フタと灯器本体とが上下縁の軸受部とねじを用いて結合されており、軸受部が灯器の外に突出しているので、両者を組み合わせる際の作業性が悪く、また、突出した部位に塵埃がそこに付着して汚れやすく、突起部位が取り扱い上邪魔であったり、見栄えが悪いという問題点があった。
【０００５】
本発明は、このような従来の技術が有する問題点に着目してなされたもので、前面フタと灯器本体とを組み合わせる作業が簡単で、外周が滑らかで塵埃がたまりにくく、取り扱いやすくて見栄えのよい交通信号用灯器を提供することを目的としている。
【課題を解決するための手段】
【０００６】
かかる目的を達成するための本発明の要旨とするところは、次の各項の発明に存する。
［１］  光源（２１）と駆動基板（２２）とを備えた光源ユニット（２０）を内装し、交通設備の要所に設置される交通信号用灯器（１０）であって、
前記光源（２１）を前面から覗かせる前面フタ（４０）と、前記光源ユニット（２０）を後方から覆う灯器本体（５０）とを前後から合わせて前記光源ユニット（２０）を収納し、
前記前面フタ（４０）は、前記光源（２１）を覗かせ、かつ前記光源ユニット（２０）の前部外周に密接する開口周囲部（４１）と、前記灯器本体（５０）に密接する縁部（４２）とを備え、
前記灯器本体（５０）は、前記光源ユニット（２０）を後方から覆う箱状の灯体内部の前部に前縁部（５２）を備えて成り、
前記前面フタ（４０）の縁部（４２）の上部に後方に突出する蝶番突起部（４５）を設け、前記灯器本体（５０）には、該蝶番突起部（４５）が嵌合するシャフト受部（５５）を設け、前記蝶番突起部（４５）を該凹部に嵌合させて、前記前面フタ（４０）と前記灯器本体（５０）とをヒンジ状に連結し、
前記前面フタ（４０）の縁部（４２）の下部にラッチ（６１）を設け、前記灯器本体（５０）の前縁部（５２）には、該ラッチ（６１）が係脱する受け金具（６５）を設け、
前記前面フタ（４０）のラッチ（６１）と前記灯器本体（５０）の受け金具（６５）とを係合させることで前記前面フタ（４０）と前記灯器本体（５０）とを密接に結合したことを特徴とする交通信号用灯器（１０）。
【０００７】
［２］  光源（２１）と駆動基板（２２）とを備えた光源ユニット（２０）を内装し、交通設備の要所に設置される交通信号用灯器（１０）であって、
前記光源（２１）を前面から覗かせる前面フタ（４０）と、前記光源ユニット（２０）を後方から覆う灯器本体（５０）とを前後から合わせて前記光源ユニット（２０）を収納し、
前記前面フタ（４０）は、前記光源（２１）を覗かせ、かつ前記光源ユニット（２０）の前部外周に密接する開口周囲部（４１）と、前記灯器本体（５０）に密接する縁部（４２）とを備え、
前記灯器本体（５０）は、前記光源ユニット（２０）を後方から覆う箱状の灯体内部の前部に前縁部（５２）を備えて成り、
前記前面フタ（４０）の縁部（４２）の上部に後方に突出する蝶番突起部（４５）を設け、前記灯器本体（５０）には、該蝶番突起部（４５）が嵌合するシャフト受部（５５）を設け、前記蝶番突起部（４５）を該凹部に嵌合させて、前記前面フタ（４０）と前記灯器本体（５０）とをヒンジ状に連結し、
前記前面フタ（４０）の縁部（４２）の下部にラッチ（６１）を枢支し、前記灯器本体（５０）の前縁部（５２）には、該ラッチ（６１）が係脱する受け金具（６５）を設け、
前記前面フタ（４０）のラッチ（６１）と前記灯器本体（５０）の受け金具（６５）とを係合させることで前記前面フタ（４０）と前記灯器本体（５０）とを密接に結合したことを特徴とする交通信号用灯器（１０）。
【０００８】
［３］  前記前面フタ（４０）のラッチ（６１）は弾発的に変位可能であり、前記前面フタ（４０）と前記灯器本体（５０）とを連結するとき、前記ラッチ（６１）が前記受け金具（６５）に当接したとき弾発的に一旦逃げてから係合することを特徴とする項１または２に記載の交通信号用灯器（１０）。
【０００９】
前記本発明は次のように作用する。
本発明に係る交通信号用灯器（１０）は、交通設備の要所に設置され、駆動基板（２２）から光源（２１）に電力を供給し、点滅等をさせて交通案内をする。
【００１０】
前面フタ（４０）と灯器本体（５０）とは、上部は、前面フタ（４０）の縁部（４２）に後方に突出して設けられた蝶番突起部（４５）を、灯器本体（５０）のシャフト受部（５５）に嵌合させて結合する。
【００１１】
前面フタ（４０）と灯器本体（５０）とは、下部は、前面フタ（４０）の縁部（４２）の下部に枢支されたラッチ（６１）と、灯器本体（５０）の前縁部（５２）に設けられた受け金具（６５）とを係合させて結合する。前面フタ（４０）と灯器本体（５０）とを結合するとき、前面フタ（４０）側のラッチ（６１）が灯器本体（５０）側の受け金具（６５）に当接したとき弾発的に一旦逃げてから係合する。
【００１２】
光源ユニット（２０）は、前面フタ（４０）と、後方から覆う灯器本体（５０）とを前後から合わせて密閉収納される。前面フタ（４０）の縁部（４２）が灯器本体（５０）に密接し、光源ユニット（２０）の前部外周には前面フタ（４０）の開口周囲部（４１）が密接する。これにより、前面フタ（４０）と灯器本体（５０）とは、外部への突出部を形成することなく密接に結合する。
【００１３】
光源（２１）は、外部から視認できるよう、前部が前面フタ（４０）の開口周囲部（４１）から覗き、駆動基板（２２）から光源（２１）に電力が供給され、点滅等をして交通案内をする。
【発明の効果】
【００１４】
本発明にかかる交通信号用灯器によれば、前面フタと灯器本体とが、上部はヒンジ状に結合され、下部はラッチ機構により結合されるので、組付けが簡単で作業性がよく、外周に突起する部位が生ずることなく光源ユニットが収納され、外周が滑らかで塵埃がたまりにくく、取り扱いやすくて見栄えのよい交通信号用灯器とすることができる。
【発明を実施するための最良の形態】
【００１５】
以下、図面に基づき本発明の好適な一実施の形態を説明する。
各図は本発明の一実施の形態を示している。  
交通信号用灯器１０は、交通設備の要所に設置されるものであり、形態は図６および図７に示すとおりであり、通常は青、黄、赤の３組で構成され、それぞれの組は同様の構成をしており、ＬＥＤ（発光ダイオード）である光源２１を前面から覗かせる前面フタ４０と、光源ユニット２０を後方から覆う灯器本体５０とを前後から合わせて光源ユニット２０が収納され、前面フタ４０には、フード１５が装着されている。
【００１６】
図１および図２でわかるように、光源ユニット２０は、光源２１と駆動基板２２と前部の前面レンズ２３とが一体的に構成されて成る。前面フタ４０は、光源ユニット２０の前面レンズ２３を前方に開放する開口周囲部４１を有し、光源ユニット２０の前面レンズ２３をこの開口周囲部４１に通してから受け面４１ａに外周縁部２５を押し当て、後からリング金具３０で押さえ、ねじ３１で固定されている。
【００１７】
前面フタ４０は、光源２１を覗かせ、かつ光源ユニット２０の前部外周に密接する開口周囲部４１と、灯器本体５０に密接する縁部４２とを備え、灯器本体５０は、光源ユニット２０を後方から覆う箱状の灯体内部５１の前部に前縁部５２を備えて成る。
【００１８】
上部で前面フタ４０と灯器本体５０とがヒンジ状に連結可能なよう、前面フタ４０の縁部４２に後方に突出する蝶番突起部４５が設けられ、灯器本体５０には、蝶番突起部４５が嵌合するシャフト受部５５が設けられている。
【００１９】
前面フタ４０の縁部４２の蝶番突起部４５には、蝶番部シャフト４６が嵌合するシャフト孔４５ａが穿設され、灯器本体５０の前縁部５２には、シャフト受部５５を横断して前面フタ４０の蝶番部シャフト４６が納まって保持するシャフト受け溝５６が形成されている。
【００２０】
図１〜図４でわかるように、下部では、前面フタ４０と灯器本体５０とはラッチ機構６０により結合するようになっている。ラッチ機構６０は、前面フタ４０側に軸ピン６１ａで枢支されたラッチ６１と、灯器本体５０側に設けられた受け金具６５とで構成される。
【００２１】
ラッチ６１は、フック６２を先端部に有するフック形をしており、付勢ばね６３で係合方向に付勢され、図４（ａ）の逃げ位置と図４（ｂ）の係合位置とに変位可能で常時は図４（ｂ）の係合位置になるよう付勢されている。受け金具６５は、ラッチ６１のフック６２が係脱する受け金具先端６６がフック６２に対応して折り曲げ形成されて成る。
【００２２】
前面フタ４０と灯器本体５０とを結合するとき、上部では、蝶番部シャフト４６は、前面フタ４０を煽り戸状に開いた状態で押え金具５７を灯器本体５０の前縁部５２にねじ５７ａ止めする。下部では、前面フタ４０のラッチ６１と灯器本体５０の受け金具６５とを係合させて結合する。これにより、前面フタ４０は煽り戸状に開閉可能で、閉じたとき、外部への突出部を形成することなく前面フタ４０と灯器本体５０とが密接に結合する。
【００２３】
次に作用を説明する。  
交通信号用灯器１０は、交通設備の要所に設置され、駆動基板２２から光源２１に電力を供給し、点滅等をさせて交通案内をする。
【００２４】
前面フタ４０と灯器本体５０とは、上部では、前面フタ４０の縁部４２に後方に突出して設けられた蝶番突起部４５を、灯器本体５０のシャフト受部５５に嵌合させて結合する。
【００２５】
下部では、前面フタ４０のラッチ６１と灯器本体５０の受け金具６５とを係合して結合する。前面フタ４０と灯器本体５０とを結合するとき、図５（ａ）から図５（ｂ）の状態になり、前面フタ４０側の係合位置にあるラッチ６１のフック６２が灯器本体５０側の受け金具６５の受け金具先端６６に一旦当接し、付勢ばね６３の付勢力に抗して逃げ位置に弾発的に一旦逃げ、さらに進むと図５（ｃ）のように、フック６２が受け金具６５の受け金具先端６６に係合する。
【００２６】
光源ユニット２０は、前面フタ４０と、後方から覆う灯器本体５０とを前後から合わせて密閉収納される。前面フタ４０の縁部４２が灯器本体５０に密接し、光源ユニット２０の前部外周には前面フタ４０の開口周囲部４１が密接する。これにより、前面フタ４０と灯器本体５０とは、外部への突出部を形成することなく密接に結合する。
【００２７】
光源２１は、外部から視認できるよう、前部が前面フタ４０の開口周囲部４１から覗き、駆動基板２２から光源２１に電力が供給され、点滅等をして交通案内をする。
【図面の簡単な説明】
【００２８】
【図１】本発明の一実施の形態に係る交通信号用灯器の説明分解断面図である。
【図２】本発明の一実施の形態に係る交通信号用灯器の断面図である。
【図３】本発明の一実施の形態に係る交通信号用灯器のラッチ機構の正面図である。
【図４】本発明の一実施の形態に係る交通信号用灯器のラッチの説明図である。
【図５】本発明の一実施の形態に係る交通信号用灯器のラッチ機構の動作を示す説明図である。
【図６】本発明の一実施の形態に係る交通信号用灯器の正面図である。
【図７】本発明の一実施の形態に係る交通信号用灯器の側面図である。
【符号の説明】
【００２９】
１０…交通信号用灯器
２０…光源ユニット
２１…光源
２２…駆動基板
２３…前面レンズ
３０…リング金具
３１…ねじ
４０…前面フタ
４１…開口周囲部
４２…縁部
４５…蝶番突起部
４５ａ…シャフト孔
４６…蝶番部シャフト
４７…シャフト
４７ａ…ねじ
５０…灯器本体
５１…灯体内部
５２…前縁部
５５…シャフト受部
５６…シャフト受け溝
５７…押え金具
６０…ラッチ機構
６１…ラッチ
６２…フック
６５…受け金具
６６…受け金具先端
【図１】
2005284528.tif 000003
【図２】
2005284528.tif 000004
【図３】
2005284528.tif 000005
【図４】
2005284528.tif 000006
【図５】
2005284528.tif 000007
【図６】
2005284528.tif 000008
【図７】
2005284528.tif 000009